【手続補正書】
【提出日】平成15年12月9日(2003.12.9)
【手続補正１】
【補正対象書類名】明細書
【補正対象項目名】請求項９
【補正方法】変更
【補正の内容】
【請求項９】
前記帯電部材が、磁性粒子を磁気拘束することによって形成される磁気ブラシ帯電部材であることを特徴とする請求項１〜８のいずれか一項に記載の画像形成装置。
【手続補正２】
【補正対象書類名】明細書
【補正対象項目名】請求項２６
【補正方法】変更
【補正の内容】
【請求項２６】
前記無機微粉体は、疎水化処理されていることを特徴とする請求項１〜２５のいずれか一項に記載の画像形成装置。
【手続補正３】
【補正対象書類名】明細書
【補正対象項目名】請求項３０
【補正方法】変更
【補正の内容】
【請求項３０】
前記電子写真感光体の光導電層は、少なくとも水素及び／又はハロゲンを含み、シリコンを主体とする非単結晶材料から成ることを特徴とする請求項２８または２９に記載の画像形成方法。
【手続補正４】
【補正対象書類名】明細書
【補正対象項目名】請求項３６
【補正方法】変更
【補正の内容】
【請求項３６】
前記帯電部材は、磁性粒子を磁気拘束することによって形成される磁気ブラシ帯電部材であることを特徴とする請求項２８〜３５のいずれか一項に記載の画像形成方法。
【手続補正５】
【補正対象書類名】明細書
【補正対象項目名】請求項５３
【補正方法】変更
【補正の内容】
【請求項５３】
前記無機微粉体は、疎水化処理されていることを特徴とする請求項２８〜５２のいずれか一項に記載の画像形成方法。
【手続補正６】
【補正対象書類名】明細書
【補正対象項目名】０００３
【補正方法】変更
【補正の内容】
【０００３】
近年、ますます電子写真装置の高性能化が求められる中で、a-Siを用いた電子写真装置にも、従来にもまして高画質、高解像度が求められている。


【手続補正７】
【補正対象書類名】明細書
【補正対象項目名】００４１
【補正方法】変更
【補正の内容】
【００４１】
光導電層102と表面層103との界面に、必要に応じてアモルファス炭化珪素、アモルファス窒化珪素、アモルファス酸化珪素などからなるバッファ層105を設けてもよい。


【手続補正８】
【補正対象書類名】明細書
【補正対象項目名】００５５
【補正方法】変更
【補正の内容】
【００５５】
本発明における表面層103中には必要に応じてハロゲン原子が含まれていても良い。ハロゲン原子供給用ガスとなり得る物質としては、たとえばＦ2、ＢｒＦ、ＣｌＦ、ＣｌＦ3、ＢｒＦ3、ＢｒＦ5、ＩＦ3、ＩＦ7等のハロゲン化合物を挙げることができる。更にＣＦ4、ＣＨＦ3、Ｃ2Ｆ6、ＣｌＦ3、ＣＨＣｌＦ2、Ｆ2、Ｃ3Ｆ8、Ｃ4Ｆ10等のフッ素含有ガスが好適に用いられる。


【手続補正９】
【補正対象書類名】明細書
【補正対象項目名】００５９
【補正方法】変更
【補正の内容】
【００５９】
ここで言う「シリコン原子を母体とする非単結晶材料」とは、アモルファス状のシリコンを主に表しているが、微結晶や多結晶を部分的に含んでいても良いアモルファス状のシリコンである。


【手続補正１０】
【補正対象書類名】明細書
【補正対象項目名】００６４
【補正方法】変更
【補正の内容】
【００６４】
ハロゲン原子供給用の原料ガスとして有効なのは、弗素ガス（Ｆ２)、ＢｒＦ、ＣｌＦ、ＣｌＦ３、ＢｒＦ３、ＢｒＦ５、ＩＦ３、ＩＦ等のハロゲン化合物を挙げることができる。


【手続補正１１】
【補正対象書類名】明細書
【補正対象項目名】００６９
【補正方法】変更
【補正の内容】
【００６９】
また、上記光導電層は、前述したように電荷発生層と電荷輸送層の２つに機能分離している構成でも良い。
（３）バッファ層
本発明における電子写真感光体は、前記表面層と光導電層の間にバッファ層が設けられている形態であることも好ましい。


【手続補正１２】
【補正対象書類名】明細書
【補正対象項目名】００９９
【補正方法】変更
【補正の内容】
【００９９】
本発明における磁性粒子は、フェライト、マグネタイトの如き導電性金属の単一あるいは混晶の種々の材料が使用可能である。他に導電性及び磁性を有する微粒子を後述の結着樹脂と混練し、粒状に成型することによって得られた導電性及び磁性を有する微粒子が結着樹脂中に分散された粒子や、上記の導電性磁性粒子を更に樹脂でコートする構成とすることができる。これらの構成の中でもフェライト粒子が好ましく用いられる。フェライトの組成としては、銅、亜鉛、マンガン、マグネシウム、鉄、リチウム、ストロンチウム、バリウム等の金属元素を含むものが好適に使用される。
磁性粒子に用いられる結着樹脂として、スチレン、クロルスチレン等のスチレン類；エチレンプロピレン、ブチレン、イソブチレン等のモノオレフィン；酢酸ビニル、プロピオン酸ビニル、安息香酸ビニル、酪酸ビニル等のビニルエステル；アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステルビニルメチルエーテル、ビニルエチルエーテル、ビニルブチルエーテル等のビニルエーテル；ビニルメチルケトン、ビニルヘキシルケトン、ビニルイソプロペニルケトン等のビニルケトン類の単独重合体あるいは共重合体などが挙げられ、特に導電性磁性微粒子の分散性やコート層としての成膜性、生産性という点などから、ポリスチレン、スチレン−アクリル酸アルキル共重合体、スチレン−アクリロニトリル共重合体、スチレン−ブタジエン共重合体、スチレン−無水マレイン酸共重合体、ポリエチレン、ポリプロピレンが挙げられる。更にポリカーボネート、フェノール樹脂、ポリエステル、ポリウレタン、エポキシ樹脂、ポリオレフィン、フッ素樹脂、シリコーン樹脂、ポリアミド等が好ましい。
ここで、フッ素樹脂としては、例えばポリフッ化ビニル、ポリフッ化ビニリデン、ポリトリフルオロエチレン、ポリクロロトリフロオロエチレン、ポリジクロロジフルオロエチレン、ポリテトラフルオロエチレン、ポリヘキサフルオロプロピレンなどと、他のモノマーが共重合した溶媒可溶の共重合体が挙げられる。


【手続補正１３】
【補正対象書類名】明細書
【補正対象項目名】０１０５
【補正方法】変更
【補正の内容】
【０１０５】
磁性粒子の表面層の樹脂膜には結着樹脂が用いられ、結着樹脂として、スチレン、クロルスチレン等のスチレン類；エチレンプロピレン、ブチレン、イソブチレン等のモノオレフィン；酢酸ビニル、プロピオン酸ビニル、安息香酸ビニル、酪酸ビニル等のビニルエステル；アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステルビニルメチルエーテル、ビニルエチルエーテル、ビニルブチルエーテル等のビニルエーテル；ビニルメチルケトン、ビニルヘキシルケトン、ビニルイソプロペニルケトン等のビニルケトン類の単独重合体あるいは共重合体などが挙げられ、特に導電性磁性微粒子の分散性やコート層としての成膜性、生産性という点などから、ポリスチレン、スチレン−アクリル酸アルキル共重合体、スチレン−アクリロニトリル共重合体、スチレン−ブタジエン共重合体、スチレン−無水マレイン酸共重合体、ポリエチレン、ポリプロピレンが挙げられる。更にポリカーボネート、フェノール樹脂、ポリエステル、ポリウレタン、エポキシ樹脂、ポリオレフィン、フッ素樹脂、シリコーン樹脂、ポリアミド等が好ましい。


【手続補正１４】
【補正対象書類名】明細書
【補正対象項目名】０１２２
【補正方法】変更
【補正の内容】
【０１２２】
【数１】
2002148838.tif 000001
（式中、Ｖｃは帯電部材表面の移動速度、Ｖｐは感光体表面の移動速度であり、Ｖｃは、当接部において帯電部材表面が感光体表面と同じ方向に移動するとき、Ｖｐと同符号の値とする。）
相対移動速度比は、通常には１０〜５００％である。


【手続補正１５】
【補正対象書類名】明細書
【補正対象項目名】０１３７
【補正方法】変更
【補正の内容】
【０１３７】
さらにまた、本発明に係わるトナー粒子は、単量体には可溶で得られる重合体が不溶な水系有機溶剤を用い直接トナー粒子を生成する分散重合方法又は水溶性極性重合開始剤存在下で直接重合しトナー粒子を生成するソープフリー重合方法に代表される乳化重合方法等を用いトナー粒子を製造する方法、乳化重合で得られたポリマー粒子等を会合凝集させる方法でも製造が可能である。


【手続補正１６】
【補正対象書類名】明細書
【補正対象項目名】０１５０
【補正方法】変更
【補正の内容】
【０１５０】
しかし、トナーの磁場79.6kA/mにおける磁化の強さが10Am2/kg未満であると、上記の効果が得られず、トナー担持体上に磁力を作用させるとトナーの穂立ちが不安定となり、トナーへの帯電付与が均一に行えないことによるカブリ、画像濃度ムラ、転写残トナーの回収不良等の画像不良を生じる易くなる。磁性トナーの磁場79.6kA/mにおける磁化の強さが50Am2/kgよりも大きいと、トナーに磁力を作用させると磁気凝集によりトナーの流動性が著しく低下し、転写性が低下することで転写残トナーが増加し、及びトナー粒子と導電性微粉体がともに挙動する傾向が強まることで接触帯電部材に付着・混入して介在する導電性微粉体が減少するとともに、当接部に介在する導電性微粉体量が転写残トナー量に対して相対的にも減少し、帯電性の低下に伴うカブリ及び画像汚れを生じ易くなる。
本発明において磁性トナーの磁化の強さは、振動型磁力計VSM P-1-10（東英工業社製）を用いて、25℃の室温にて外部磁場79.6kA/mで測定することができる。
なお、本発明において、トナーの飽和磁化を磁場７９.６ｋＡ／ｍで規定するが、画像形成装置に磁性トナーが適用される場合、磁性トナーに作用する磁場は、画像形成装置外への磁場の漏洩を大きくしないため、または磁場発生源のコストを低く抑えるために、市販されている多くの画像形成装置において数十から百数十ｋＡ／ｍとされている。そこで、本発明では、画像形成装置内で実際に磁性トナーに作用する磁場の代表的な値として磁場７９.６ｋＡ／ｍ（１０００エルステッド）を選択し、磁場７９.６ｋＡ／ｍにおけるトナーの飽和磁化を規定した。
また、本発明における磁性トナーは、導電性微粉体を外添させることも好ましい。本発明において、導電性微粉体の磁性トナー全体に対する含有量は、０．２〜１０質量％であることが好ましい。本発明の磁性トナーは、表面に磁性体が実質上露出していない為、帯電量が高く、導電性微粉体の磁性トナー全体に対する含有量が０．２質量％よりも少ないと、現像性が低下する傾向にある。また、現像兼クリーニングを用いた画像形成方法に適用する際には、接触帯電部材への絶縁性の転写残トナーへの付着・混入による帯電阻害に打ち勝って像担持体の帯電を良好に行なわせるのに十分な量の導電性微粉体を、帯電部材と像担持体との当接部或いはその近傍の帯電領域に介在させることができず、帯電性が低下し帯電不良を生じることがある。また、含有量が１０質量％よりも多い場合では、現像兼クリーニングによって回収される導電性微粉体が多くなりすぎることによる現像部でのトナーの帯電能、現像性を低下させ、画像濃度低下やトナー飛散を生ずる。導電性微粉体のトナー全体に対する含有量は、０．５〜５重量％であることが更に好ましい。
＜４＞本発明の画像形成方法および画像形成装置
本発明の画像形成方法は、上述した本発明における電子写真感光体、帯電手段と磁性トナーを用いる以外は、公知の方法と同じでよい。


【手続補正１７】
【補正対象書類名】明細書
【補正対象項目名】０１６８
【補正方法】変更
【補正の内容】
【０１６８】
この数字が大きいほど、解像力が高いことを示す。
◎：8.0本／mmがはっきりと見え、非常に良好
○：6.3本／mmがはっきりと見え、良好
△：5.0本／mmがはっきりと見える
×：5.0本／mmがはっきりと見えない
（密着性）
上記の評価の終了した電子写真感光体の表面に鋭利な針を用いて1cm間隔にクロスハッチ状に筋傷をつけた。これを１週間水に浸した後に取り出し、傷を付けた部分から膜剥がれが生じていないかを目視にて点検した。
◎：剥がれは全く発生せず、非常に良好
○：筋傷のエッジから１０倍ルーペで観察して分かる程度の剥がれが成長したが実用上何ら問題なし
△：筋傷から目視で分かる僅かな剥がれが広がった
×：広範囲に剥がれが発生した
（水素含有量）
Ｓｉウェハー上に表面層のサンプルを約１μｍ成膜し、赤外分光光度計により赤外吸収スペクトルを測定した。そして、ａ−Ｃ膜の場合には２９２０ｃｍ−１付近に現れるＣ−Ｈｎの吸収ピークの面積と膜厚から膜中水素量を求めた。また、ａ−ＳｉＣ膜の場合には、２９２０ｃｍ−１付近に現れるＣ−Ｈｎの吸収ピークから求めた膜中水素量と、２０００ｃｍ−１付近に現れるＳｉ−Ｈnの吸収ピークから求めた膜中水素量を合計することで膜中水素量を求めた。


【手続補正１８】
【補正対象書類名】図面
【補正対象項目名】図１
【補正方法】変更
【補正の内容】
【図１】
2002148838.tif 000002